(57)【特許請求の範囲】
【請求項１】
ハウジングに保持された端子金具と電子部品とが接続されてなる電子部品付きコネクタであって、
前記端子金具は、前記電子部品と接続される電子部品接続部を有し、前記電子部品接続部は、平面視において前記ハウジングから後方に突出した姿勢で保持され、かつ、その突出方向の途中の位置において２度曲げされた屈曲部分を有しており、
前記ハウジングには、前記端子金具における前記屈曲部分よりも前側部分を、平面視における前記電子部品接続部の突出方向と略直交する方向に差し入れることが可能な差入部が形成され、
かつ、前記端子金具には、前記前側部分が前記差入部に差し入れられた状態で前記端子金具が後方に押し込まれることで、前記ハウジングに形成された圧入孔に圧入される圧入部が備えられている電子部品付きコネクタ。
【請求項２】
前記圧入部は、前記電子部品接続部の両側に設けられている請求項１に記載の電子部品付きコネクタ。
【請求項３】
前記端子金具には、相手側端子金具に接続される端子部が、前記圧入部とは反対側に突出して設けられている請求項１または請求項２に記載の電子部品付きコネクタ。
【発明の詳細な説明】
【技術分野】
【０００１】
本発明は、電子部品付きコネクタに関する。
【背景技術】
【０００２】
従来、コンデンサ等の電子部品を内蔵した電子部品付きコネクタとして、ハウジングに保持された端子金具に、電子部品が接続されたものが知られている。この種のコネクタとしては、例えば下記特許文献１に記載のコネクタのように、端子金具のうち電子部品と接続される電子部品接続部が、屈曲等されることで所定形状に形成されたものが知られている。
【先行技術文献】
【特許文献】
【０００３】
【特許文献１】特開２００７−２８７６４２号公報
【発明の概要】
【発明が解決しようとする課題】
【０００４】
ところで、電子部品接続部が所定形状に屈曲等された端子金具は、電子部品接続部側を先方に向けて、ハウジングに圧入することができない。したがって、上記した電子部品付きコネクタにおいては、端子金具のうち電子部品接続部とは反対側を先方に向けて、ハウジングに圧入している。しかしながら、ハウジングの形状によっては、そのような向きで端子金具を圧入できない場合があり、このような場合、端子金具を屈曲等する前の段階で圧入し、その後、屈曲等する方法が考えられる。しかしながら、この方法では、端子金具の圧入工程後に、曲げ工程等を追加しなければならないので、コストの増加を招く虞がある。また、その屈曲作業等に必要なスペースをハウジング内に確保する必要が生じて、ハウジングの大型化を招く虞もある。
【０００５】
本発明は上記のような事情に基づいて完成されたものであって、電子部品接続部が予め所定形状に形成された端子金具を、ハウジングに圧入して保持することが可能な電子部品付きコネクタを提供することを目的とする。
【課題を解決するための手段】
【０００６】
本発明の電子部品付きコネクタは、ハウジングに保持された端子金具と電子部品とが接続されてなる電子部品付きコネクタであって、前記端子金具は、前記電子部品と接続される電子部品接続部を有し、前記電子部品接続部は、平面視において前記ハウジングから後方に突出した姿勢で保持され、かつ、その突出方向の途中の位置において２度曲げされた屈曲部分を有しており、前記ハウジングには、前記端子金具における前記屈曲部分よりも前側部分を、平面視における前記電子部品接続部の突出方向と略直交する方向に差し入れることが可能な差入部が形成され、かつ、前記端子金具には、前記前側部分が前記差入部に差し入れられた状態で前記端子金具が後方に押し込まれることで、前記ハウジングに形成された圧入孔に圧入される圧入部が備えられているものである。
【０００７】
このような構成によれば、端子金具を電子部品接続部の突出方向と略直交する方向に差し入れることで、ハウジングの所定の深さ位置に配することができ、その後、端子金具を電子部品接続部の突出方向と略平行な方向に押し込むことで、圧入部を圧入孔に圧入することができる。したがって、電子部品接続部が予め所定形状に形成された端子金具を、ハウジングに圧入して保持することができる。
【０００８】
また、前記圧入部は、前記電子部品接続部の両側に設けられているものとしてもよい。
また、前記端子金具には、相手側端子金具に接続される端子部が、前記圧入部とは反対側に突出して設けられているものとしてもよい。
【発明の効果】
【０００９】
本発明によれば、電子部品接続部が予め所定形状に形成された端子金具を、ハウジングに圧入して保持することが可能な、電子部品付きコネクタを提供することができる。
【図面の簡単な説明】
【００１０】
【図１】本実施形態におけるコネクタを示す平面図
【図２】コネクタを示す正面図
【図３】コネクタを示す背面図
【図４】コネクタを示す断面図であって、図２のＡ−Ａ位置における断面に相当する断面図
【図５】コネクタを示す断面図であって、図３のＢ−Ｂ位置における断面に相当する断面図
【図６】ハウジングに第一ジョイント端子を圧入する前の状態を示す底面図
【図７】ハウジングの差入部に第一ジョイント端子を差し入れる前の状態を示す断面図であって、図６のＣ−Ｃ位置における断面に相当する断面図
【図８】ハウジングの差入部に第一ジョイント端子を差し入れた後の状態を示す断面図であって、図６のＣ−Ｃ位置における断面に相当する断面図
【図９】ハウジングに第一ジョイント端子を圧入した後の状態を示す断面図であって、図６のＣ−Ｃ位置における断面に相当する断面図
【図１０】ハウジングに第二ジョイント端子を圧入した後の状態を示す断面図であって、図６のＣ−Ｃ位置における断面に相当する断面図
【発明を実施するための形態】
【００１１】
以下、本発明を具体化した一実施形態について、図１〜図１０を参照しつつ詳細に説明する。
本実施形態における電子部品付きコネクタ（以後、単にコネクタＣと称する）は、自動車等に搭載された電気・電子機器等のノイズを除去するためのコネクタであって、ハウジング１０に保持されたジョイント端子３０とコンデンサ（電子部品）４０とが接続されてなるものである。このコネクタＣは、自動車などに搭載された電気・電子機器などから導出される図示しない複数の電線を、一括して接続するジョイントコネクタである。このコネクタＣは、正極側および負極側のジョイント端子３０を有し、この正負のジョイント端子３０の間に、コンデンサ４０が介設されている。以下、各構成部材において、図１の左側（コネクタＣにおいて図示しない相手側コネクタとの嵌合面側）を前方、その反対側を後方とし、また、図２の上側を上方、下側を下方として説明する。
【００１２】
ジョイント端子３０は、金属等の導電性の板材を打ち抜いて、曲げ加工等を施すことで成形されている。ジョイント端子３０は、図示しない相手側コネクタに保持された端子金具と接続する複数の端子部３１と、これらを連結する帯状連結部３２と、コンデンサ４０と接続する電子部品接続部３３とを有している。
【００１３】
各端子部３１はタブ状をなし、帯状連結部３２の一側端面に一定のピッチで並んで突設されている。電子部品接続部３３は、帯状連結部３２のうち端子部３１とは反対の側端面に形成され、帯状連結部３２から略直角方向に延出している。
【００１４】
正負の一対のジョイント端子３０は、図２に示すように、ハウジング１０の厚さ方向（高さ方向）に２段に並べて配置されている。なお、下段側に配置されたジョイント端子３０を第一ジョイント端子（端子金具）３０Ａ、上段側に配置されたジョイント端子３０を第二ジョイント端子３０Ｂと称する。
第一ジョイント端子３０Ａおよび第二ジョイント端子３０Ｂは、ともに端子部３１を５本ずつ備え、各端子部３１が上下に揃う位置に配置されている。
【００１５】
第一ジョイント端子３０Ａの電子部品接続部（第一電子部品接続部３３Ａと称する）と、第二ジョイント端子３０Ｂの電子部品接続部（第二電子部品接続部３３Ｂと称する）とは、図１に示すように、ハウジング１０の幅方向に一定の間隔をあけて配置され、第一電子部品接続部３３Ａが、第二電子部品接続部３３Ｂよりも後方に至っている。
【００１６】
第二電子部品接続部３３Ｂは、帯状連結部３２のうち長手方向の中心よりも若干一端側に寄った位置において帯状連結部３２から後方に突出している。詳しくは、第二電子部品接続部３３Ｂは、複数の端子部３１のうちその並び方向の中心に位置する端子部３１と、この中心の端子部３１と隣接した端子部３１との間となる位置に配されている。第二電子部品接続部３３Ｂは、その全長にわたり段差がない平坦なものとされ、幅寸法は全長にわたり略一定とされている。
【００１７】
第一電子部品接続部３３Ａは、帯状連結部３２のうち長手方向の一端側に寄った位置から後方に突出している。詳しくは、第一電子部品接続部３３Ａは、複数の端子部３１のうち最も端に位置する端子部３１と、複数の端子部３１の中心に位置する端子部３１との間に配された端子部３１と、略同位置に配されている（図６参照）。
【００１８】
第一電子部品接続部３３Ａは、その先端部が第二電子部品接続部３３Ｂと略同一高さに配されるべく、長さ方向の途中の位置において２度直角曲げされている。すなわち第一電子部品接続部３３Ａは、その長さ方向の途中の位置において上方に屈曲された後、第二電子部品接続部３３Ｂと同一高さの位置において、さらに後方に屈曲されている。また、第一電子部品接続部３３Ａの先端部は、幅方向の内側（第二電子部品接続部３３Ｂ側）に向かって、略直角をなして突出する形状に打ち抜かれている。
【００１９】
ジョイント端子３０には、後述するハウジング１０の端子保持部１１に対して、後方（電子部品接続部３３の突出方向と略平行な方向）に押し込まれることで、ハウジング１０に形成された圧入孔２４に圧入される圧入部３４が備えられている（図３及び図６参照）。
【００２０】
圧入部３４は、帯状連結部３２から電子部品接続部３３と同じ側に突出して設けられ、すなわち端子部３１とは反対側に突出して設けられている。圧入部３４の幅寸法は、端子部３１の幅寸法よりも大きく、圧入部３４の長さ寸法は、端子部３１の長さ寸法よりも小さくされている。
【００２１】
圧入部３４は、各ジョイント端子３０に一対ずつ備えられている。一対の圧入部３４は、帯状連結部３２の長さ方向の両端部に位置し、各圧入部３４は、複数の端子部３１のうち最も端に位置する端子部３１と、幅方向において略同一の位置に配されている。なお、第一ジョイント端子３０Ａと第二ジョイント端子３０Ｂとは、電子部品接続部３３の構造（形状およびその位置等）が異なるだけで、電子部品接続部３３を除く部分、すなわち端子部３１、帯状連結部３２および圧入部３４の構造は同じものとされている。
【００２２】
コンデンサ４０は、アルミ電解コンデンサであって、円柱形状をなすコンデンサ本体４１と、その前端面から導出された正負一対のリード線４２とを備えている（図５参照）。リード線４２は丸ピン形状をなし、コンデンサ本体４１の前端面から略垂直方向（コンデンサ本体４１の軸方向）に突出している。一対のリード線４２は、所定の間隔をあけて配され、そのうちの一方が、他方よりも長い寸法とされている。一対のリード線４２は、ジョイント端子３０の電子部品接続部３３の上側に配され、抵抗溶接によって電子部品接続部３３に接続されている。
【００２３】
ハウジング１０は合成樹脂製であって、全体として前後方向に細長い形状をなし、その前端部がジョイント端子３０を保持する端子保持部１１とされ、後端部がコンデンサ４０を保持する電子部品保持部１２とされている。そして、ハウジング１０のうち端子保持部１１と電子部品保持部１２との間の中間部１３において、ジョイント端子３０とコンデンサ４０との接続がなされる。なお、電子部品保持部１２は、ハウジング１０の幅方向の略中央に位置している。
【００２４】
電子部品保持部１２は、内側にコンデンサ本体４１を収容するコンデンサ収容壁１４を有している。コンデンサ収容壁１４は、コンデンサ本体４１の周囲を囲う円筒形状をなす筒状部１４Ａと、筒状部１４Ａの軸方向の一端側に設けられた端壁部１４Ｂとを有している。筒状部１４Ａは、縦向き（軸線が端子部３１の突出方向と一致する向き）に形成されるとともに、その後端側は開口しており、後方からコンデンサ４０を収容可能とされている。
【００２５】
端壁部１４Ｂには、リード線４２をコンデンサ収容壁１４の外側に挿通するリード線挿通孔１５が、前後方向に貫通形成されている。また、端壁部１４Ｂには、コンデンサ本体４１と端壁部１４Ｂとの間を離間した状態に保持するスペーサ部１６が突設されている（図５参照）。
【００２６】
中間部１３は、幅方向の両側を覆う一対の側壁部１７を有している。一対の側壁部１７は、互いに略平行をなして対向し、その前端と後端とが、それぞれ端子保持部１１と電子部品保持部１２とに連結されている。中間部１３には、一対の側壁部１７と端子保持部１１と電子部品保持部１２とに囲まれた空間が、上下方向に開放されている。なお、中間部１３には樹脂等は充填されず、コネクタＣに装着された図示しないカバーにより、外側が覆われるものとされている。
【００２７】
電子部品保持部１２の前側には、リード線４２を、ジョイント端子３０の電子部品接続部３３の上面側に誘導する誘導部１８が設けられている。誘導部１８は、コンデンサ収容壁１４と一体に形成され、端壁部１４Ｂから前方に片持ち状に突出し、上下方向（リード線４２と電子部品接続部３３とが重なり合う方向）に弾性変形可能とされている。
【００２８】
端子保持部１１は、ハウジング１０の幅方向に長い壁状をなし、ジョイント端子３０の帯状連結部３２が内部に埋設されている。そして、端子保持部１１の前側面からジョイント端子３０の端子部３１が前方に並んで突出し、端子保持部１１の後側面からジョイント端子３０の電子部品接続部３３が後方に突出して配される。
【００２９】
端子保持部１１には、ジョイント端子３０の帯状連結部３２が装着される端子装着溝１９が形成されている。端子装着溝１９は、前方に開放された横方向に長い溝であり、ジョイント端子３０の帯状連結部３２が前方から装着可能とされている。ジョイント端子３０は、端子装着溝１９の奥面２１に、帯状連結部３２の側端面が当接して前止まりがなされる。端子装着溝１９の前側部分は、端子装着溝１９にジョイント端子３０を誘い込むべく、上下方向に開口が広げられたテーパ形状をなしている（図４参照）。
【００３０】
端子装着溝１９は上下２段に形成されており、下段の端子装着溝１９は、第一ジョイント端子３０Ａが装着される第一端子装着溝１９Ａ、上段の端子装着溝１９は、第二ジョイント端子３０Ｂが装着される第二端子装着溝１９Ｂとされている。
第二端子装着溝１９Ｂの奥面２１には、前方から挿入された第二ジョイント端子３０Ｂの第二電子部品接続部３３Ｂを、後方に挿通可能な接続部挿通孔（図示せず）が貫通形成されている。
【００３１】
端子保持部１１には、ハウジング１０の下面側から第一端子装着溝１９Ａまで、上下方向（電子部品接続部３３の突出方向と略直交する方向）に、第一ジョイント端子３０Ａを差し入れることが可能な差入部２３が形成されている（図７および図８参照）。差入部２３は、第一端子装着溝１９Ａの一部（第一電子部品接続部３３Ａに対応する部分）を、端子保持部１１の前方、後方および下方に開放する溝である。差入部２３の幅寸法は、第一電子部品接続部３３Ａの幅寸法よりも若干大きい寸法とされている（図６参照）。
【００３２】
また、端子保持部１１の後面には、図８に示すように、第一ジョイント端子３０Ａの第一電子部品接続部３３Ａの屈曲部分が一時的に収められる収容凹部２３Ａが形成されている。収容凹部２３Ａは、差入部２３の後端部分を上方に広げるようにして凹み形成された部分である。収容凹部２３Ａは、差入部２３と同等の幅寸法を有している。収容凹部２３Ａは、第一端子装着溝１９Ａと第二端子装着溝１９Ｂとの間にわたる高さ範囲に形成されている。
【００３３】
また、端子装着溝１９の奥面２１には、各ジョイント端子３０の圧入部３４に対応する位置に、圧入孔２４が形成されている（図３参照）。圧入孔２４は、端子装着溝１９の長手方向の両端部に形成され、端子保持部１１の後側へ貫通しており、圧入孔２４に圧入された圧入部３４の先端は、端子保持部１１から後側へ突出する（図１参照）。
【００３４】
次に、第一ジョイント端子３０Ａおよび第二ジョイント端子３０Ｂを、ハウジング１０に取り付ける作業について説明する。
まず、第一ジョイント端子３０Ａをハウジング１０に取り付ける。図７に示すように、ハウジング１０を上下逆向きにして、差入部２３が上側に配されるようにする。そして、第一ジョイント端子３０Ａの第一電子部品接続部３３Ａが、端子保持部１１の後側に配されるようにして、第一電子部品接続部３３Ａの根元部分（屈曲部分よりも帯状連結部３２側の部分）を差入部２３に差し入れる。すると、図８に示すように、第一電子部品接続部３３Ａの屈曲部分は、収容凹部２３Ａ内に配され、第一電子部品接続部３３Ａの根元部分が第一端子装着溝１９Ａに突き当たり、第一ジョイント端子３０Ａの圧入部３４および帯状連結部３２は、第一端子装着溝１９Ａと略同一高さ位置に配されて、端子保持部１１の後側に位置する（図６参照）。
【００３５】
こうして第一ジョイント端子３０Ａを差入部２３に差し入れてセットした後、図示しない圧入機等によって第一ジョイント端子３０Ａを圧入する。圧入機によって第一ジョイント端子３０Ａを後方に押し込むと、第一電子部品接続部３３Ａの屈曲部分は収容凹部２３Ａから出て後側に進み、一対の圧入部３４が第一端子装着溝１９Ａ内に挿入され、やがて圧入孔２４に圧入される。また、帯状連結部３２が第一端子装着溝１９Ａ内に挿入されて、その側端面が第一端子装着溝１９Ａの奥面２１に突き当たり、押し込みが停止される。こうして、第一ジョイント端子３０Ａは、圧入部３４が圧入孔２４の内周面に食い込むことにより、端子保持部１１に保持される。
【００３６】
次いで、第二ジョイント端子３０Ｂをハウジング１０に取り付ける。第二ジョイント端子３０Ｂを、第二電子部品接続部３３Ｂを先方にして、第二端子装着溝１９Ｂに前方から挿入する。図示しない圧入機によって第二ジョイント端子３０Ｂを前方に押し込むと、第二電子部品接続部３３Ｂが第二端子装着溝１９Ｂ内を通過してその奥面２１に形成された接続部挿通孔に突入し、圧入部３４は圧入孔２４に圧入される。また、帯状連結部３２が第二端子装着溝１９Ｂ内に挿入され、その側端面が第二端子装着溝１９Ｂの奥面２１に突き当たって押し込みが停止される。こうして、第二ジョイント端子３０Ｂは、圧入部３４が圧入孔２４の内周面に食い込むことにより、端子保持部１１に保持される。
【００３７】
以上により、ハウジング１０への第一ジョイント端子３０Ａおよび第二ジョイント端子３０Ｂの取り付け作業が完了する。なお、第二ジョイント端子３０Ｂの圧入作業を、第一ジョイント端子３０Ａの圧入作業と同時に行うものとしてもよい。
【００３８】
上記のように構成された本実施形態によれば、以下の効果を奏する。
本実施形態のコネクタＣは、ハウジング１０に保持された第一ジョイント端子３０Ａおよび第二ジョイント端子３０Ｂとコンデンサ４０とが接続されてなるコンデンサ付きジョイントコネクタであって、第一ジョイント端子３０Ａは、コンデンサ４０と接続される第一電子部品接続部３３Ａが所定形状に屈曲されるとともに、第一電子部品接続部３３Ａがハウジング１０から突出した姿勢で保持されるものであり、ハウジング１０には、第一ジョイント端子３０Ａを上下方向に差し入れることが可能な差入部２３が形成され、かつ、第一ジョイント端子３０Ａには、後方に押し込まれることで、ハウジング１０に形成された圧入孔２４に圧入される圧入部３４が備えられているものである。
【００３９】
これにより、第一ジョイント端子３０Ａを上下方向に差し入れることで、ハウジング１０の所定の深さ位置に配することができ、その後、第一ジョイント端子３０Ａを後方に押し込むことで、圧入部３４を圧入孔２４に圧入することができる。したがって、第一電子部品接続部３３Ａを予め所定形状に屈曲した後、その第一ジョイント端子３０Ａを、ハウジング１０に圧入して保持することができる。
【００４０】
また、圧入部３４は、第一電子部品接続部３３Ａの両側に設けられている。これにより、例えば圧入部３４を片側のみに設ける場合に比べて、第一ジョイント端子３０Ａの保持力を高めることができる。
【００４１】
また、第一ジョイント端子３０Ａには、相手側端子金具に接続される端子部３１が、圧入部３４とは反対側に突出して設けられている。すなわち、相手側端子金具との接続の際に第一ジョイント端子３０Ａは後ろ向きの力を受けるけれども、その力の向きが、圧入部３４を圧入孔２４に押し込む向きと一致しているから、高い端子保持力を得ることができる。
【００４２】
また、圧入部３４は、帯状連結部３２のうち端子部３１と反対側の側端面に設けられているから、圧入部３４を、複数の端子部３１の形成範囲内に設けることができるので、第一ジョイント端子３０Ａの幅寸法を有効に使ってジョイント端子３０をコンパクトな形状にすることができる。
【００４３】
＜他の実施形態＞
本発明は上記記述及び図面によって説明した実施形態に限定されるものではなく、例えば次のような実施形態も本発明の技術的範囲に含まれる。
【００４４】
（１）上記実施形態では、コンデンサ４０のリード線４２は丸ピン形状をなしているが、これに限らず、例えば、コンデンサのリード線は角柱状等であってもよい。
（２）上記実施形態では、電子部品がコンデンサ４０である場合について説明したが、これに限らず、電子部品は、例えば抵抗、ダイオード等、各種の電子部品であってもよい。
（３）上記実施形態では、第一ジョイント端子３０Ａの他に第二ジョイント端子３０Ｂがハウジング１０に保持されているコネクタＣについて説明したが、これに限らず、例えば第一ジョイント端子のみがハウジングに保持されたコネクタや、第二ジョイント端子に加えて第三ジョイント端子等、別の端子がハウジングに保持されたコネクタについても、本発明を適用することができる。
（５）上記実施形態では、一対のジョイント端子３０のうち第一ジョイント端子３０Ａの第一電子部品接続部３３Ａのみが、屈曲されている場合について説明したが、これに限らず、例えば、一対のジョイント端子の電子部品接続部を、ともに屈曲させた場合についても、本発明を適用することができる。このような場合には、ジョイント端子を差し入れるための差入部を、各ジョイント端子毎に設ければよい。
（６）上記実施形態では、第一ジョイント端子３０Ａを差入部２３にセットした後、後方に押し込むことで、圧入部３４を圧入孔２４に圧入するものとしているが、これとは逆に、第一ジョイント端子を差入部にセットした後、前方に押し込むことで、圧入部を圧入孔に圧入するものとしてもよい。
（７）上記実施形態では、端子金具は、複数の端子部３１を有するジョイント端子３０であるが、これに限らず、例えば端子金具は、端子部を１本のみ有するものであってもよい。
【符号の説明】
【００４５】
Ｃ…コネクタ（電子部品付きコネクタ）
１０…ハウジング
２３…差入部
２４…圧入孔
３０Ａ…第一ジョイント端子（端子金具）
３１…端子部
３３…電子部品接続部
３４…圧入部
４０…コンデンサ（電子部品）
【図１】
0005716607.tif 000002
【図２】
0005716607.tif 000003
【図３】
0005716607.tif 000004
【図４】
0005716607.tif 000005
【図５】
0005716607.tif 000006
【図６】
0005716607.tif 000007
【図７】
0005716607.tif 000008
【図８】
0005716607.tif 000009
【図９】
0005716607.tif 000010
【図１０】
0005716607.tif 000011